(57)【要約】      （修正有）【課題】力が弱い老人や障害者であっても、簡単に収納・展開を行うことができ、収納時の専有容積がきわめて小さい浴槽を提供する。【解決手段】アルミニウム、アラミド、ポリケトン等の高温に強く軽量で堅固な素材によって形成され、分割槽を、高さ方向に伸縮可能に嵌合して成る。縮小時には、上方のものの内側へ順次下方のものが重なるようになっている。中間部の分割槽及び下部の分割槽を下方へ引き延ばして、ピンで固定することにより、浴槽を使用することができる。上部の分割槽及び中間部の分割槽の下縁は、内側へ桶状に折り曲げて防水シーリング材を装着し、中間部の分割槽及び下部の分割槽の上縁は、外方へ逆桶状に折り曲げて防水シーリング材を施してある。【選択図】なし【実用新案登録請求の範囲】
【請求項１】
（イ）厨房器の水槽を重複槽（４ａ．４ｂ．．．．．）にして、外側槽（４ａ）へ内側槽（４ｂ．．．．）を伸縮自在に嵌入収納（一次収納）する、続いて壁面（１）へ開設のブラケット（１−４Ｎ〜１−４Ｌ）へ、厨房器に開設のフック（４Ｎ〜４Ｌ）を回転自在に掛け、縦方向へ回転して壁面へ収納（二次収納）する。（ロ）厨房器単独で壁面収納の場合の展開は、壁面収納位置から二次収納操作の逆転方向へ回転して（４’）へ展開（一次展開）する、続いて横方向へ回転して（４”）へ展開（二次展開）する、一次．二次収納して一次．二次展開する厨房器（４）は、一次．二次展開の何れか使用する位置で収縮嵌入の内側槽（４ｂ）を伸ばす。（ハ）厨房器の水槽（４ａ）内側へ蛇口を開設して、ノズルを水槽内側へ倒し収納状態に止水し、ノズルの立ち上げ加減出水量を調節する蛇口。
【請求項２】
（イ）浴槽を重複槽（３ａ．３ｂ．３ｃ．．．．）にして、外側槽（３ａ）へ内側槽（３ｂ．３ｃ．．．．）を伸縮自在に嵌入収納（一次収納）する、続いて壁面（１）へ開設のブラケット（１−１Ｌ〜１−３Ｎ）へ、浴槽に開設のフック（３Ｌ〜３Ｎ）を回転自在に掛け、縦方向へ回転して壁面へ収納（二次収納）する。（ロ）浴槽の展開は、壁面収納位置から二次収納操作の逆転方向へ回転して（３’）へ展開（一次展開）する、続いて横方向へ回転して（３”）へ展開（二次展開）する、一次．二次して一次．二次する浴槽（３）は、一次．二次展開の何れか使用する位置で収縮嵌入の内側槽（３ｂ．３ｃ）を伸ばす。（ハ）二次収納の厨房器（４）を、浴槽（３）で覆い被せる状態に重ねて（３）の二次収納する、（４）と（３）の重複収納。
【考案の詳細な説明】
【技術分野】
【０００１】  実施例図を基にして説明する、浴槽を伸縮収納の重複槽（３ａ．３ｂ．３ｃ）と厨房器の水槽を重複槽（４ａ．４ｂ）にして、各々外側槽（３ａ）と（４ａ）内へ内側槽（３ｂ．３ｃ）と（４ｂ）を伸縮自在にスライドして嵌入収納（一次収納）する、浴槽と厨房器の厚みを薄くする技術。  一次収納の（３）と（４）を出窓枠．建具．壁面戸棚の空き間等（壁面）へ、取り付け用ブラケットアームのブラケットを開設して、其のブラケットへ（３）と（４）のフック部位を回転自在に引っ掛け、（４）と（３）を壁面へ縦方向へ押し上げ収納（二次収納状態）する、壁面への（３）と（４）の収納順位は、（４）を先に壁側へ収納し、其の後（４）を（３）で覆い被せる形態に重複して収納する、即ち（４）と（３）の重複収納となる。  （３）と（４）の分離壁面収納は、（３）と（４）の取り付けブラケットの位置を個々に分離開設して、個々に分離二次収納も出来る。  展開及び使用について、〔図２〕で説明する、（３）の一次展開は（３）の二次収納位置（Ａ．Ｂ．Ｃ．Ｄ）から（３Ｌ〜３Ｎ）を軸にして、（３）の上部位（Ａ〜Ｂ）位置から（Ａ’〜Ｂ’）へ引き下し（Ａ’．Ｂ’．Ｃ’．Ｄ’）へ一次展開する。  （３）の一次展開を拡大図〔図３〕で説明すると、（１−３Ｌ）の（１−３Ｌ’）側を軸芯に回転する、その時（３）へ開設のフック（３Ｖ）はキャッチブラケット（１−１Ｖ）へ回転して（３Ｖ’）へ展開する。  （４）を収納状態に残し、（３ａ）内収納の（３ｂ）と（３ｃ）を下方へ伸ばし（Ｐ）（Ｑ）（Ｔ）を仮固定して、（３）の一次展開で使用も可能。  （３）の（１−３Ｌ）．（１−３Ｎ）と（３）のフック（３Ｌ）．（３Ｎ）を壁面側上位へ移動した場合、（１−３Ｌ）．（１−３Ｎ）を軸に（３）の引き上げ展開も可能。  （４）の一次展開は、〔図２〕の（４）二次収納位置（Ｅ．Ｆ．Ｇ．Ｈ）から（１−４Ｎ）．（１−４Ｌ）を軸にして（４）の上部位（Ｅ〜Ｆ）位置から、（Ｅ’〜Ｆ’）へ引き下し、（Ｅ’．Ｆ’．Ｇ’．Ｈ’）へ一次展開する。  （４）の一次展開を拡大図〔図３〕で説明すると、（１−４Ｎ）の（４Ｎ）を軸にして、（Ｅ）は（Ｅ’）へ展開する。  （３）に続いて（４）を同時に一次展開した場合は、（３）と（４）が上下同位置になるので使用出来ない、（３）．（４）何れかを二次展開し上下同位置から逸らして使用する。  （４）のみ使用の場合は、（３）の一次展開後、（４）を一次展開から（１）へ開設の（４）のフック（４Ｖ）．（４Ｌ）のブラケット（１−４Ｖ）．（１−４Ｌ）アーム（１−４Ｄ）．（１−４Ｃ）の（１−４）を軸に、（１−４Ｖ’）．（１−４Ｌ’）へ二次展開し（４ｂ）を伸ばして使用する、（３）は二次収納位置へ戻す。  上下水道の接続は、（３）．（４）の一次収納状態取り付け時に伸縮自在管で接続する。  （３）の二次展開は、（Ｄ’）側横口ブラケット（１−３Ｎ）から（３Ｎ）を外し、（Ｃ’）側の（３Ｌ）を軸に横方向へ、〔図１〕の〔コーナーの（Ａ’）から（Ａ”）へ〕回転して、突起横棒状のフック（３Ａ）は（２）へ開設の横口ブラケット（２−３Ｎ）でキャッ  チする、（３）の各々コーナー（Ａ’．Ｂ’．Ｃ’．Ｄ’）は（Ａ”．Ｂ”．Ｃ”．Ｄ”）へ回転する、（３ａ）の（��ｂ）．（３ｃ）は、（３”）位置で（３ｂ”）と（３ｃ”）へ引き伸ばし、（Ｐ）．（Ｑ）．（Ｔ）で固定して（３）の二次展開を終わる。  続いて、（４）の二次展開は、先ず（４Ｎ）を（１−４Ｎ）から外し〔図３〕（１）へ開設の蝶番（１−１Ｅ）軸を同軸（１−４）にしてアーム（１−４Ｃ）と（１−４Ｄ）は、（４）を支持して〔図１〕に示す（Ｅ’）から（Ｅ”）へ横へ展開（二次展開）する、（１）へ開設のアーム（１−６）のブラケット（１−６Ｎ）で、（４）へ開設のフック（６Ｎ）を受け止め固定して（４）の二次展開を終わる、（４ａ）内側収納の（４ｂ）を（４ｂ’）へ伸ばして使用する。  （３）を一次展開で使用中、または、（３）へ荷重が加算している状態で、二次展開を行う場合の為、（３ｃ）の底辺へ車輪を開設して移動を容易にする。
【背景技術】
【０００２】  従来は、浴槽及び厨房器は平面に個別配置し、固定又は据え置きして使用しているので広い場所を必要としている、携帯形や簡易のものは柔軟な材質で折り畳み収納タイプやフレーム．パーツの組み立てタイプが存在する、折り畳み組み立て浴槽の内側へポータブル浴槽を開設する二重浴槽の例も在る。  厨房器は理髪店の洗髪水槽の如く、洗髪水槽を手前に引き下ろして使用されて居る。
【考案の開示】
【考案が解決しようとする課題】
【０００３】  老人や身障者の狭小住宅生活に於いて、狭い居室に生活機器を平面に設置しているので益々狭くなっている、生活機器の大半を占める浴槽と厨房器を出窓や壁面へ収縮収納して、居室空間を出来るだけ広くしようとする。  課題の例、実用新案登録第３００６２５５号（平成６年１１月２日）考案の名称  二段式多機能ベッドと収納俎について、二段式多機能ベッドは老老相互介護用のベッド、健康老人と障害老人の助け合いの生活用ベッドである、当ベッド不要時には天井へ収納して、ベッド下位の生活機器を使用するタイプとしているが、狭小居室では生活機器不要時の室内活動に窮する。  また老人．身障者は、身体の作業出来る範囲が狭く力量が弱いので、（３）と（４）は軽量にし接近して、容易に展開操作や厨房作業が出来るようにする。  創出した生活空間を老老相互介護やＳＯＨＯルームに活用する。
【課題を解決する為の手段】
【０００４】  （３）．（４）の収納は、一次収納は収縮して薄く収納し二次収納は（４）．（３）重ねて壁面収納する、二段階に収納する。  （３）．（４）は、平面的にほぼ同一カ所に収納しているが、（４）のみ使用する場合は、（３）一次展開後（４）を二次展開迄展開し、（３）は壁面収納に戻す、又は（３）を二次展開へ進める、（４）は二次展開．一次展開何れの位置でも使用出来る。  （３）を入浴介護に使用する場合は、（４）を壁面収納位置に置き、一次展開位置（３’）で使用可能だが二次展開位置（３”）まで展開して（３ｂ）．（３ｃ）を伸ばし固定して使用する、（３”）の周りが空いているので入浴介護の作業が容易にできる。  （３）．（４）は、軽量で堅固な素材の製品にして、壁面へ着脱自在に設置する、外して持ち運びケアサービスに利用出来る。
【考案の作用】
【０００５】  考案の（３）．（４）は、収納する事により狭小住宅の居室空間を創出する、老老相互介護生活やＳＯＨＯの利用出来る空間が広くなる。  （３）．（４）の操作は着脱自在であり、取り外して携帯しケアサービスに使用する場合は、予め使用カ所の壁面等へ（３）または（４）設置用ブラケットを開設して、そこへ取り付け使用する。  軽量．堅固にして一次．二次展開、及び各槽の押しの操作が容易にできる。  （４）の（４ａ）内側手前に、ノズルを収納止水状態に倒したコックの無い蛇口を開設して、ノズルの立ち上げ加減で出水量を調節する、コックが無くノズルが手前に在るので、老人．身障者等の車椅子からの操作も容易に出来る。  多機能ベッドの周りに火気（電磁気レンジを含む）を設置出来ないので、（４）の展開使用後は、逆転収納（二次収納）と同時に電源（Ｊ）スイチを兼ねている（４Ｖ’）は（１−４Ｖ）から外れ、（４Ｖ）へ戻り電源はカットする、入れ替わりに多機能ベッドの電源スイチが入るようにする。  老人．身障者が単身で入浴の場合は、（３）の展開．押し広げ．固定．補強までは手先作業で出来るが、入浴は（４）の（４ａ）フレームが高過ぎ出入りに不便な場合は、（４ａ）のフレームを切り下げ（３ａ−２）、使用する人の障害の度合．能力に符合して上げ床や階段（２’）を設置する。  （３）の主要構造は、アルミ．アラミド．ポリケトン等の高温に強く軽量で堅固な素材にして、成型．強度．使途．携帯を考慮して楕円形に形成する。  厨房器を単独で縦に壁面収納する場合は、〔図１〕（４”）位置の壁面ブラケット（１−６）と（１−４Ｖ’）を（Ｎ）形横口ブラケットタイプにして、（４）を直接縦方向へ回転して壁面へ収納することも出来る。
【考案の効果】
【０００６】１  （３）．（４）は一次．二次．重複収納を行い、最終収納時の占有容積が極めて小さいので居室空間が広くなり、居室内生活する老人身．障者の趣味や仕事．老老相互介護と活動空間に余裕が出来る。２  （３）．（４）の着脱が出来るので、取り外し携帯してケアサービスに利用出来る。３  浴槽（３）の（３ａ）入り口のエプロン部位を切り下げ、老人．身障者の入浴を容易にする。  厨房器（４）の下位が空いているので車椅子で接近出来る、また、水槽の水栓ノズルを手元に開設して台所作業を楽にする、水の使用は手元のノズルの立ち上げ加減で水流を調節する、手元へ引き倒し収納状態で止水するので、止水の忘れが無い。４  〔図３〕（３）．（４）の（１−３Ｌ）．（１−４Ｎ）を手前に開設している、尚（１）と（３．４）の間を空け、（１）へ（３．４）が寄りかかる様にして手前に倒れ難くした。
【図面の簡単な説明】
【０００７】
【図１】（３）と（４）の壁面重複二次収納状態の平面透視図（斜線部位）、及び（３）と（４）の一次．二次展開を破線で示す。
【図２】（３）と（４）の壁面収納状態の立面透視図（実線部位）、及び（３）と（４）の一次展開．二次展開を破線で示す。
【図３】（３）と（４）の側面拡大透視図（実線部位）、及び（３）と（４）の一次展開を破線で示す。
【図４】（４）の（４ａ）内側水槽（４ｂ）を伸ばした状態と、（４ａ）開設の蛇口ノズルの止水収納位置（４ｃ）（破線部位）とノズルが通水状態位置（４ｃ’）（実線部位）を断面で示す。
【図５】丸カン（リング形）ブラケット（１−Ｌ）へ鉤状フック（Ｌ）の組み合わせ状態を示す。
【図６】（１−Ｌ）へ（Ｌ）を組み合わせた状態（１−Ｌ）を断面で示す。
【図７】キャッチ形ブラケット（１−Ｎ）へ、軸（Ｎ）を回転自在に差し込み組み合わせた状態の断面図。
【図８】（１−Ｎ）へ（Ｎ）を組み合わせた状態で「図７」の側面図。
【図９】キャッチ形ブラケット（１−Ｍ）へ、軸（Ｍ）を回転自在に差し込み組み合わせた状態の断面図、（Ｎ）形タイプの飲み込み口が長いタイプ。
【図１０】（１−Ｍ）へ（Ｍ）を組み合わせた状態で「図９」の側面図。
【符合の説明】
【０００８】  （１）は壁面（２）は床面（２’）は（３）の入り口の上げ床面（３）は伸縮収納浴槽  （４）は伸縮収納厨房器  ー・は中途をしめす。  （Ａ．Ｂ．Ｃ．Ｄ）は、（３）の二次収納正面四角形の四隅を各々示す。  （Ａ’．Ｂ’．Ｃ’．Ｄ’）は、（３）の一次展開時の移動位置を示す。  （Ａ”．Ｂ”．Ｃ”．Ｄ”）は、（３）の二次展開時の移動位置を示す。  （Ｅ．Ｆ．Ｇ．Ｈ）は、（４）の二次収納正面四角形の四隅を各々示す。  （Ｅ’．Ｆ’．Ｇ’．Ｈ’）は、（４）の一次展開時の移動位置を示す。  （Ｅ”．Ｆ”．Ｇ”．Ｈ”）は、（４）の二次展開時の移動位置を示す。  （１−１）は、（１）に開設した（３）の展開用アーム（１−１Ｃ）．（１−１Ｄ）のベース。  （１−１Ｄ）は、（１）へ開設の（３）の一次展開時に（３Ｖ’）をキャッチするブラケット（１−１Ｖ）のアーム。  （１−１Ｅ）は、（１）へ開設の（１−４）の蝶番。  （１−１Ｌ）は、（１−１Ｃ）の先端へ開設した水平リング形ブラケット。  （１−３Ｎ）は、（１−２）の先端へ開設した横口のブラケット。  （１−４）は、（１−１Ｅ）上下の通し縦軸。  （１−４Ｃ）と（１−４Ｄ）は、（１）へ開設した（４）の展開軸受けブラケットアームで、（１−１Ｅ）では同一軸。  （１−４Ｌ）は（１−４Ｃ）の先端部位、（１−４Ｖ）は（１−４Ｄ）の先端部位へ各々開設のブラケット。  （１−４Ｎ）は、（１−５）と（１−６）の先端へ開設した横口の（Ｎ）。  （１−６）は、（１）へ開設の（４）の二次展開時（４Ｍ）をキャッチする横口ブラケット（１−６Ｎ）のアーム。  （２−３）は、（２）へ開設の（３）の二次展開時に（３Ｍ）をキャッチする横口のブラケット（２−３Ｎ）のアーム。  （３Ｍ）は、（３）へ開設したフック。  （３’）は、（３）の一次展開位置。  （３”）は、（３）の二次展開位置。  （３ａ）．（３ｂ）．（３ｃ）は、（３）の三重槽の各々槽をしめす、（３ｂ）（３ｃ）は（３ａ）内へ嵌入収納する、（３ａ）及び（３ｂ）は下部位を内折り樋状一周し先端部上向き部位へ放水シーリング材を施す、（３ｂ）．（３ｃ）は、上部位を外折り出し鍔状一周し先端部下方へ放水シーリングを施す。  （３ｂ’）．（３ｃ’）は、展開して使用時（３ａ）内から伸ばした位置。  （３ａ−１）．（３ｂ−１）．（３ｂ−２）．（３ｃ−１）は、各々防水シーリング材を施した部位を示す。  （３ａ−２）は、（３ａ）のエプロン部位を出入り口用に切り下げた部位を示す。  （３ａ−３）は、（３）の湯量オーバーフローの排水口。  （３ｃ−２）は、（３）を安定させる為に（２）へ設置した枕木。  （４）は、蛇口付き水槽（３ａ．３ｂ）及び電磁気レンジを装備している厨房器。  （４Ｍ）は、（４）へ開設したフック。  （４’）は、（４）の一次展開位置。  （４”）は、（４）の二次展開位置。  （４ａ）は、（４）の水槽外側上部位を示す。  （４ｂ）は、（４ａ）の内側下部位の伸縮自在に嵌入収納する水槽。  （４ｂ’）は、（４）が展開して使用する場合、（４ａ）内から伸ばした位置。  （４ａ−１）は、（４ａ）の下部位を内折り樋状一周し、先端上向部位へ防水シーリングを施す。  （４ｂ−１）は、（４ａ−１）の上部位内側より一周被せる状態の先端下向部位へ防��シーリング材を施す。  ５は、（１）と二次収納（３）．（４）の隙間を示す、（４）の二次展開時にアーム（１−４Ｄ’）．（１−４Ｃ’）が占めるすペーす。  Ｊは、（４）の電源スイチ、（４）のフック（４Ｖ）が電源わ兼ねるブラケット（１−４Ｖ）へ着接（４Ｖ’）でスイチオンする。  Ｐは、上下槽を固定するピン、  Ｑは、（３）の展開使用時のサポーター。  Ｒ−１．Ｒ−２．Ｒ−３．Ｒ−４は、多機能ベッドの上下動用ガイドレール兼用支柱、支柱間の点線内は、多機能ベッドの領域を示す。  Ｓは、（３）の（３ｃ）底辺開設した車輪。
【図１】
0003106042.tif 000002
【図２】
0003106042.tif 000003
【図３】
0003106042.tif 000004
【図４】
0003106042.tif 000005
【図５】
0003106042.tif 000006
【図６】
0003106042.tif 000007
【図７】
0003106042.tif 000008
【図８】
0003106042.tif 000009
【図９】
0003106042.tif 000010
【図１０】
0003106042.tif 000011
【手続補正書】
【提出日】平成16年8月9日(2004.8.9)
【手続補正１】
【補正対象書類名】実用新案登録請求の範囲
【補正対象項目名】全文
【補正方法】変更
【補正の内容】
【実用新案登録請求の範囲】
【請求項１】
浴槽全体を高さ方向に分割した複数の分割槽を、高さ方向に伸縮可能に、且つ、縮小時に重複するよう嵌合して成り、壁面に上下方向へ回転可能に取り付けられ、水平位置から回動させることにより、壁面と重ねて収納できることを特徴とした浴槽。
【請求項２】
壁面に着脱自在に、且つ、水平方向に回転可能に取り付けられている請求項１に記載の浴槽。
【手続補正２】
【補正対象書類名】明細書
【補正対象項目名】全文
【補正方法】変更
【補正の内容】
【考案の詳細な説明】
【技術分野】
【０００１】
本考案は、収納可能な浴槽に関する。
【背景技術】
【０００２】
従来の浴槽は、平面上に設置して固定又は据え置きして使用しているので、広い場所を必要としていた。
そこで、柔軟な材質で折り畳み可能としたり、フレームパーツを組み立て可能としたり、折り畳み組立浴槽の内側へポータブル浴槽を設置した二重浴槽等の携帯型や簡易型のものが提案されている。また、理髪店の洗髪水槽のように、使用時に手前に引き下ろして使用する水槽も知られている。
さらに、ベッドを使用しないときは天井へ収納して、ベッド下方の生活機器を使用できる多機能ベッドが公知である（特許文献１参照）。
【０００３】
【特許文献１】実用新案登録第３００６２５５号公報
【考案の開示】
【考案が解決しようとする課題】
【０００４】
本考案が解決しようとする課題は、力が弱い老人や障害者であっても、簡単に収納・展開を行うことができ、収納時の専有容積がきわめて小さい浴槽を提供することにある。
【課題を解決するための手段】
【０００５】
本考案の浴槽は、浴槽全体を高さ方向に分割した複数の分割槽を、高さ方向に伸縮可能に、且つ、縮小時に重複するよう嵌合して成り、壁面に上下方向へ回転可能に取り付けられ、水平位置から回動させることにより、壁面と重ねて収納できる。
浴槽を壁面に着脱自在に、且つ、水平方向に回転可能に取り付けると良い。
【考案の効果】
【０００６】
本考案によれば、高さを縮めてから回動させて壁面に重なるよう収納できるので、収納時の専有面積がきわめて小さくなり、収納によって創り出した空間を、老人、身障者の趣味や仕事、介護の活動空間、ＳＯＨＯルームとして活用できる。また、力が弱い老人や身障者でも容易に展開操作ができる。
【考案を実施するための最良の形態】
【０００７】
以下、本考案の実施例を図面に基づいて詳細に説明する。
本考案の浴槽３は、アルミニウム、アラミド、ポリケトン等の高温に強く軽量で堅固な素材によって形成され、図１乃至図３に示すように、高さ方向に分割された複数（図に示す例では３個）の分割槽３ａ，３ｂ，３ｃを、高さ方向に伸縮可能に嵌合して成る。
これら分割槽３ａ，３ｂ，３ｃは、縮小時には、上方のものの内側へ順次下方のものが重なるようになっている。
そして、中間部の分割槽３ｂ及び下部の分割槽３ｃを下方へ引き延ばして、ピンＰで固定することにより、浴槽３を使用することができる。
なお、上部の分割槽３ａ及び中間部の分割槽３ｂの下縁は、内側へ樋状に折り曲げて防水シーリング材を装着し、中間部の分割槽３ｂ及び下部の分割槽３ｃの上縁は、外方へ逆樋状に折り曲げて防水シーリング材を施してある。
また、老人や身障者が単独で入浴する場合には、上部の分割槽３ａの上端部に出入り口用の切り下げ部３ａ−２を形成したり、使用者の能力に応じて、床面２に階段２’を設置する。
【０００８】
浴槽３は、壁面１に上下方向へ回動可能に取り付けられ、分割槽３ａ，３ｂ，３ｃを縮めて収納（一次収納）した状態で、上方へ回動させることにより、壁面１に重ねて収納（二次収納）することができる（Ａ，Ｂ，Ｃ，Ｄ位置）。
図３に示すように、壁面１にはベース１−１が設けられ、ベース１−１からアーム１−１Ｃ，１−１Ｄが張り出す。下方のアーム１−１Ｃの先端に水平リング形のブラケット１−３Ｌが設けられ、上方のアーム１−１Ｄの先端にはキャッチブラケット１−１Ｖが設けられる。
また、壁面１からは、アーム１−１Ｃと対向してアーム１−２が張り出され、アーム１−２の先端に横口ブラケット１−３Ｎが装着されている。
【０００９】
浴槽３には、図５及び図６に示すように、水平リング形ブラケット１−３Ｌに係合するフック３Ｌ及び横口ブラケット１−３Ｎに係合するフック３Ｎが装着され、フック３Ｌ，３Ｎを回転させることにより、浴槽３を上下方向へ回動させることができる。
また、図３に示すように、浴槽３にはフック３Ｖが取り付けられ、浴槽３を下方へ回動させて水平位置まで張り出すと（Ａ’，Ｂ’，Ｃ’，Ｄ’で示す一次展開位置）、フック３Ｖはキャッチブラケット１−１Ｖと係合する。
【００１０】
さらに、一次展開位置にある浴槽３は、フック３Ｎを横口ブラケット１−３Ｎから外し、フック３Ｌを軸にして水平方向に回転させ、Ａ”，Ｂ”，Ｃ”，Ｄ”に示す位置まで二次展開することができる。
二次展開した時の浴槽３の位置に対応して、床面２には横口ブラケット２−３Ｎが設置され、この横口ブラケット２−３Ｎへ浴槽３に装着されたフック３Ｍが係合する（図１）。
なお、浴槽３を伸長して使用したり、浴槽３を一次展開位置から二次展開位置へ移動させる時のために、下部の分割槽３ｃの底面に車輪Ｓが装着されている（図２）。また、上部の分割槽３ａにはオーバーフロー用の排水口３ａ−３が設けられ、浴槽３を延ばして使用するときは、床面２に浴槽３を安定させるための枕木３ａ−２を設置する。
【００１１】
図１乃至図３に示すように、二次収納された浴槽３の内側へ、厨房器４を重ねて収納することができる。
厨房器４は、図１及び図４に示すように、高さ方向に複数（図に示す例では２個）の分割槽４ａ，４ｂに分割された水槽、及び、電磁気レンジを有する。分割槽４ａ，４ｂは、高さ方向に伸縮可能に嵌合され、縮小して収納（一次収納）する時には、上部の分割槽４ａの内側へ下部の分割槽４ｂが重なるようになっている。
また、厨房器４の水槽を使用するときは、分割槽４ａの内側に収納されている下部の分割槽４ｂを下方へ引き出す。
【００１２】
図４に示すように、上部の分割槽４ａの下縁は内側へ樋状に折り曲げて防水シーリング材４ａ−２を装着し、下部の分割槽４ｂの上縁は外方へ逆樋状に折り曲げて防止シーリング材４ｂ−２を施してある。
また、外側（上方）の分割槽４ａの内側に、コックの無い蛇口４ａ−１が起倒可能に、且つ、ノズルを手前にして設置される。蛇口４ａ−１は、倒して分割槽４ａ内に収納した時（破線で示す）に止水状態となり、立ち上げたとき（実線で示す）に通水し、立ち上げ加減で出水量を調節できるようになっている。この蛇口４ａ−１はコックが無く、ノズルが手前にあるので、老人や障害者等が車椅子からでも容易に操作でき、蛇口４ａ−１を倒して止水するので、止水忘れを起こしにくい。
【００１３】
図３に示すように、ベース１−１の上方において、壁面１に蝶番１−１Ｅが設けられ、蝶番１−１Ｅに縦軸１−４が挿通される。縦軸１−４の下端部からブラケットアーム１−４Ｃが張り出すと共に、その先端にブラケット１−４Ｌが設けられ、縦軸１−４の上端部からブラケットアーム１−４Ｄが張り出して、その先端にブラケット１−４Ｖが設けられる。
また、ブラケット１−４Ｌの側方に対向した位置には、壁面１から張り出したアーム１−５の先端に設けられた横口ブラケット１−４Ｎが配置される。
さらに、厨房器４に装着されたフック４Ｌ，４Ｎがそれぞれブラケット１−４Ｌ及び横口ブラケット１−４Ｎに係合される。
【００１４】
そして、厨房器４は、ブラケット１−４Ｌ及び横口ブラケット１−４Ｎを軸にして、上下方向に回転可能であり、水槽を一次収納状態にした厨房器４を上方へ押し上げて壁面１に重ね、二次収納（図２のＥ，Ｆ，Ｇ，Ｈ位置）することができる。
このように厨房器４を二次収納したあと、浴槽３を二次収納すると、厨房器４の外方から浴槽３が覆い被さって、重複した状態で収納できる。
図３に示すように、厨房器４にはフック４Ｖが取り付けられ、厨房器４を下方へ回動させて水平位置まで張り出すと（図１のＥ’，Ｆ’，Ｇ’，Ｈ’で示す一次展開位置）、フック４Ｖがブラケット１−４Ｖと係合する。
フック４Ｖ及びブラケット１−４Ｖは、厨房器４の電源スイッチＪを兼ねており、フック４Ｖがブラケット１−４Ｖに接触するとスイッチオンとなり、フック４Ｖがブラケット１−４Ｖから離れると自動的に電源が切れる。
【００１５】
また、厨房器４を一次展開した後、フック４Ｎを横口ブラケット１−４Ｎから外し、蝶番１−１Ｅを中心として厨房器４を浴槽３の二次展開方向と逆方向へ水平に回転させ、図１のＥ”，Ｆ”，Ｇ”，Ｈ”で示す位置まで二次展開させることができる。
厨房器４の二次展開位置に対応して、壁面１からアーム１−６が張り出すと共に、その先端に横口ブラケット１−６Ｎが設けられる。厨房器４を二次展開すると、厨房器４に装着されたフック４Ｍと横口ブラケット１−６Ｎとが係合して、厨房器４が固定される。
なお、上下水道は、浴槽３及び厨房器４へ伸縮自在管で接続される。
【００１６】
浴槽３を単独で使用する場合は、厨房器４を壁面１に重ねた二次収納状態のままで、浴槽３のみを一次展開させ、その位置で伸長し、仮固定して使用するか、或いは、二次展開させて伸長し、固定して使用する。
浴槽３及び厨房器４を一次展開すると、両者は上下に重なって使用することができないので、いずれかを二次展開させて位置をずらしてから使用する。
厨房器４のみを使用する場合は、浴槽３を一次展開した後、厨房器４を二次展開するか、或いは、浴槽３を二次展開させて、厨房器４を一次展開位置で、又は二次展開して使用する。
図１及び図３に示すように、二次収納した浴槽３と壁面１との間にはスペース５があいているので、厨房器４のみを二次展開した時、アーム１−４Ｃ，１−４Ｄがこのスペース５に収まる。
【００１７】
本実施例の浴槽３及び厨房器４は、一次展開或いは二次展開した時、壁面１との間に間隔があいているので、手前に倒れにくい。
また、厨房器４の下方には空間があるので、車椅子で接近できる。
さらに、浴槽３及び厨房器４の設置位置において、図１の破線で示す領域には、ガイドレールＲ−１，Ｒ−２，Ｒ−３，Ｒ−４で支持されて上下動する多機能ベッドが設けられ、厨房器４のフック４Ｖがブラケット１−４Ｖから外れて電源スイッチＪが切れると、入れ替わりに多機能ベッドの電源スイッチが入るようになっている。
【００１８】
なお、浴槽３及び厨房器４は、壁面１に着脱自在に取り付けてあり、壁面１から外して持ち運び、ケアサービスに利用できる。この場合、予め使用個所の壁面等へ浴槽３或いは厨房器４を支持するためのブラケットを設けておき、そこへ取り付けて使用する。
また、浴槽３を厨房器４から離れた位置に分離して設置し、個別に二次収納することも可能である。
厨房器４を単独で設置する場合は、厨房器４を使用状態から直接上方へ回動させて二次収納することができる。
【図面の簡単な説明】
【００１９】
【図１】本発明の実施例を示す浴槽の上方から視た断面図。
【図２】本発明の実施例を示す浴槽の正面から視た断面図。
【図３】本発明の実施例を示す浴槽の側方から視た断面図。
【図４】厨房器の断面図。
【図５】水平リング形ブラケット及びこれに係合したフックの平面図。
【図６】水平リング形ブラケット及びこれに係合したフックの断面図。
【図７】横口ブラケット及びこれに係合したフックの断面図。
【図８】横口ブラケット及びこれに係合したフックの側面図。
【図９】他種類の横口ブラケット及びこれに係合したフックの断面図。
【図１０】他種類の横口ブラケット及びこれに係合したフックの側面図。
【符号の説明】
【００２０】
１  壁面
２  床面
２’  階段
３  浴槽
４  厨房器
１−１  ベース
１−１Ｌ  アーム
１−１Ｄ  アーム
１−１Ｅ  蝶番
１−１Ｖ  キャッチブラケット
１−２  アーム
１−３Ｌ  水平リング形ブラケット
１−３Ｎ  横口ブラケット
１−４  縦軸
１−４Ｃ  ブラケットアーム
１−４Ｄ  ブラケットアーム
１−４Ｌ  ブラケット
１−４Ｎ  横口ブラケット
１−４Ｖ  ブラケット
１−５  アーム
１−６  アーム
１−６Ｎ  横口ブラケット
２−３Ｎ  横口ブラケット
３ａ−２  切り下げ部
３ａ−３  排水口
３ｃ−２  枕木
３Ｌ，３Ｍ，３Ｎ，３Ｖ  フック
４ａ−１  蛇口
４ａ−２，４ｂ−２  防水シーリング材
４Ｌ，４Ｍ，４Ｎ，４Ｖ  フック
５  スペース
Ｊ  電源スイッチ
Ｐ  ピン
Ｒ−１，Ｒ−２，Ｒ−３，Ｒ−４  ガイドレール
Ｓ  車輪
【手続補正３】
【補正対象書類名】図面
【補正対象項目名】全図
【補正方法】変更
【補正の内容】
【図１】
0003106042.tif 000012
【図２】
0003106042.tif 000013
【図３】
0003106042.tif 000014
【図４】
0003106042.tif 000015
【図５】
0003106042.tif 000016
【図６】
0003106042.tif 000017
【図７】
0003106042.tif 000018
【図８】
0003106042.tif 000019
【図９】
0003106042.tif 000020
【図１０】
0003106042.tif 000021